(57)【特許請求の範囲】
【請求項１】
内周面に永久磁石が止着されてヨークを構成する有底筒状の筒部を構成するケーシングから突出するモータ軸前端部にファンボス部を固定してなるファンモータにおいて、前記筒部の下端部位に、ケーシング内の水を排出する排出孔を穿設すると共に、ケーシング外周面に、前記排出孔の外径方向を覆う誘導流路を形成して排出孔から排出される水を少なくともファンボス部側方向に向けて誘導するように構成する一方、ファンボス部と、該ファンボス部の外周縁から後方に向けて突出して前記筒部の前側外周面を覆う円筒状のリブとで、前記誘導流路の冷却風路上手側および外径側を塞ぐように構成したことを特徴とするファンモータの水抜き構造。
【請求項２】
請求項１において、筒部外周面に取り付けブラケットを嵌着し、該取り付けブラケットの下端部位に前後方向に貫通するように誘導流路を凹設したことを特徴とするファンモータの水抜き構造。
【請求項３】
請求項２において、誘導流路は、取り付けブラケットのシュラウドへの取り付け片形成部位に形成されていることを特徴とするファンモータの水抜き構造。
【発明の詳細な説明】
【０００１】
【産業上の利用分野】
本発明は、ラジエータ等を冷却するためのファンモータの水抜き構造に関するものである。
【０００２】
【従来技術及び発明が解決しようとする課題】
一般に、この種ファンモータのなかには、ケーシング下部に、モータ内に浸入した水を排出するための排出孔を穿設すると共に、この排出孔に、排出された水の誘導をするドレンカバーを取付けたものがあり、例えば実公平６−１５４７８号公報に示すようなものがある。
ところでこのものは、ファン回転により起風された冷却風がドレンカバー内を吹き抜けて水がモータ内に逆流しないよう配慮する必要があり、そのため、ドレンカバーの前後を塞いだものにしている。ところがこの様にすると、ドレンカバーに溜った水の排出がどうしても滞りがちになり、これを回避するためには特別な誘導路を形成しなければならず、構造が複雑になるという問題がある。
【０００３】
【課題を解決するための手段】
本発明は、上記の如き実情に鑑みこれらの欠点を一掃することができるファンモータの水抜き構造を提供することを目的として創作されたものであつて、請求項１の発明は、内周面に永久磁石が止着されてヨークを構成する有底筒状の筒部を構成するケーシングから突出するモータ軸前端部にファンボス部を固定してなるファンモータにおいて、前記筒部の下端部位に、ケーシング内の水を排出する排出孔を穿設すると共に、ケーシング外周面に、前記排出孔の外径方向を覆う誘導流路を形成して排出孔から排出される水を少なくともファンボス部側方向に向けて誘導するように構成する一方、ファンボス部と、該ファンボス部の外周縁から後方に向けて突出して前記筒部の前側外周面を覆う円筒状のリブとで、前記誘導流路の冷却風路上手側および外径側を塞ぐように構成したことを特徴とするファンモータの水抜き構造である。
請求項２の発明は、請求項１において、筒部外周面に取り付けブラケットを嵌着し、該取り付けブラケットの下端部位に前後方向に貫通するように誘導流路を凹設したことを特徴とするファンモータの水抜き構造である。
請求項３の発明は、請求項２において、誘導流路は、取り付けブラケットのシュラウドへの取り付け片形成部位に形成されていることを特徴とするファンモータの水抜き構造である。
【０００４】
そして本発明は、この構成によつて、誘導流路のファンボス部側端部をファンボス部とリブとによって覆うようにして、特別な覆いを形成しなくてもよいようにしたものである。
【０００５】
【実施例】
次に、本発明の一実施例を図面に基づいて説明する。図面において、１は自動車等の車両に搭載され、エンジン冷却水を冷却するためのラジエータであって、該ラジエータ１は、ラジエータ１の後方に配設される電動ファン装置２により冷却されるが、該電動ファン装置２は、ファン３と該ファン３を回転せしめるファンモータ４とで構成され、ファンモータ４の回転に基づいて矢印Ａ方向を向く風路の冷却風を前記ラジエータ１に送風するように設定されおり、これらは従来通りの構成となっている。
【０００６】
そして、前記ファンモータ４を構成するケーシング５は、内周面に永久磁石６が止着されてヨークを構成する有底筒状の筒部７と、該筒部７の開口端部を覆蓋するよう着脱自在に設けられるエンドブラケット８とで構成されており、ケーシング５に内装される回転子９の回転軸９ａは、軸受１０、１１を介してエンドブラケット８および筒部７の底面部７ａに回動自在に軸承され、前記底面部７ａから貫通した回転軸前端部９ｂにファン３を構成するファンボス部３ａが一体的に止着されている。
また、１２はケーシング筒部７の外周面に嵌着される略筒状の取り付けブラケットであって、該取り付けブラケット１２の後部には三つの取り付け片１２ａが外径側に突出する状態で折曲形成されており、取り付け片１２ａをラジエータ１の背面側に一体的に形成されたシュラウド１３に螺子止め固定することで、ファンモータ４のラジエータ１の後方への止着ができるように構成されている。
【０００７】
ところで、前記筒部７の下端部位にはケーシング内の水を排出するための排出孔７ｂが穿設されているが、該排出孔７ｂの穿設位置は、本実施例では前記取り付けブラケット１２の前後幅方向略中央位置となるように設定されている。一方、取り付けブラケット１２の下端部位には前後方向に貫通するよう凹設された誘導流路１２ｂが形成されており、筒部７の排出孔７ｂに対向するように設定されていて、排出孔７ｂから排出された水を誘導流路１２ｂを介して外部に排出するよう構成されている。
【０００８】
一方、回転軸先端部９ｂが止着されるファンボス部３ａには、その外周縁から後方に向けて突出する円筒状の外側リブ３ｂが一体形成されていて、ケーシング筒部７の前側外周面を覆う構成となっているが、該リブ３ｂの突出後端は、前記取り付けブラケット１２の前半部を略覆う位置にまで延出される設定になっている。さらに、ファン３の羽根３ｃは外側リブ３ｂの筒状外周面から外径側に向けて一体的に突出形成され、これによって、羽根３ｃの形成位置が、前記誘導流路１２ｂの前端部、つまり風路上手側端部にオーバーラップする設定になっている。因みに、本実施例においては、誘導流路１２ｂが取り付けブラケット１２の取り付け片１２ａ形成部位に形成されていて、取り付け片１２ａに止着されるシュラウド１３によって誘導流路１２ｂの後方からの水の浸入を防止する設定となっている。
尚、３ｄ、３ｅはファンボス部３ａの後面から後方に向けて、径方向に並設される状態で突設された筒状の内側リブであって、これら内側リブ３ｄ、３ｅの後端部は、筒部底面部７ａに近接対向するようになっていて、ボス部３ａに浸入する流路を迷路構造にするよう構成されている。
【０００９】
叙述の如く構成された本発明の実施例において、ファンモータ４の駆動によってファン３が回転し、羽根３ｃの起風作用によって発生する矢印Ａ方向の冷却風がラジエータ１を冷却することになるが、この場合に、ケーシング５内に浸入した水は排出孔７ｂ、誘導流路１２ｂを経由して外部に排出される。
【００１０】
このように、本発明が実施されたものにおいては、排出孔７ｂ、誘導流路１２ｂを形成してケーシング５内の水を外部に排出できるが、排出孔７ｂは、外径方向が誘導流路１２ｂによって覆われ、しかも該誘導流路１２ｂの前半部、つまり冷却風路上手側およびその外径側がファンボス部３ａと外側リブ３ｂとによって塞がれた状態となっており、この結果、ファン３で起風された冷却風の風路に誘導流路１２ｂの上手側端部が直接晒されて冷却風が誘導流路１２ｂを吹き抜けてしまうことが回避されることになって、該吹き抜ける冷却風によって運ばれる水のケーシング５内への浸入を防止できる。
【００１１】
さらにこのものでは、羽根３ｃが、前記誘導流路１２ｂの前半部にオーバーラップする状態で設けられているため、羽根３ｃの回転により起風される冷却風の誘導流路１２ｂの前端部からの浸入がより確実に回避されることになって、ケーシング５内への水の浸入がさらに低減する。
【００１２】
尚、本発明は上記実施例に限定されることは勿論なく、誘導流路を取り付けブラケットに一体形成するのではなく、図５、図６に示す第二実施例のように別体で実施してもよい。つまり第二実施例のものでは、取り付けブラケット１４を、筒部７の排出孔７ｂ穿設位置までには至らない幅狭なものとする一方、排出孔７ｂに抜止め状に設けられるドレンカバー１５を、取付けブラケット１４の前方に隣接する状態で止着している。このドレンカバー１５は、排出孔７ｂに強制嵌合して抜止めするための嵌合部１５ａ、該嵌合部１５ａの下端部に形成されて排出孔７ｂからの水を受けて誘導流路１５ｂを形成するための樋状部１５ｃ、該樋状部１５ｃの後端部に形成される壁板部１５ｄにより形成されており、そして樋状部１５ｃの前端位置、つまりファンボス部側端位置を越えて前記外側リブ３ｂが延出して覆う設定になっており、この様にすることで、誘導流路１５ｂの冷却風路上手側端が冷却風に晒されることがなく、冷却風の吹き抜けによる水の浸入を防止できる。しかもこのものでは、誘導流路１５ｂの後端部に壁板部１５ｄが形成されていて、該後端部側から誘導流路１５ｂへの浸入も防止されるため、より一層の防水性能の向上を計ることができる。因みに、第二実施例では壁板部１５ｂと樋状部１５ｃとのあいだに隙間１５ｅが形成されていて、該側での排水ができる設定になっているが、これを閉じて該側からの排水ができないように構成することもでき、この様にしたときには、誘導流路１５ｂの後端側からの水の浸入を完全に防止できる。
【００１３】
【作用効果】
以上要するに、本発明は叙述の如く構成されたものであるから、ケーシング内に浸入した水は排出孔から誘導流路を経由して外部に排出されるが、排出孔の外径方向は誘導流路に覆われ、しかもこの誘導流路は、ファンボス部側端部およびその外径部がファンボス部とリブとによって覆われた状態になって、ファンで起風された冷却風が誘導流路を吹き抜けることが回避されて、冷却風により水がケーシング内に持ち込まれて浸入することを防止できる。
【図面の簡単な説明】
【図１】ファン装置の側面断面図である。
【図２】取り付けブラケットの正面図である。
【図３】図２におけるＸ−Ｘ断面図である。
【図４】要部の拡大正面断面図である。
【図５】第二実施例のファン装置の側面断面図である。
【図６】図６（Ａ）はドレンカバーの正面図であり、図６（Ｂ）は図６（Ａ）のＹ−Ｙ断面図であり、図６（Ｃ）はドレンカバーの背面図であり、図６（Ｄ）はドレンカバーの平面図である。
【符号の説明】
１    ラジエータ
２    電動ファン装置
３    ファン
３ａ    ファンボス部
３ｂ    外側リブ
４    ファンモータ
５    ケーシング
６    永久磁石
７    筒部
７ａ    底面部
８    エンドブラケット
９ａ    回転軸
１２    取り付けブラケット
１２ｂ  誘導流路
１３    シュラウド
【図１】
0003545846.tif 000002
【図２】
0003545846.tif 000003
【図３】
0003545846.tif 000004
【図４】
0003545846.tif 000005
【図５】
0003545846.tif 000006
【図６】
0003545846.tif 000007